(57)【要約】      （修正有）【課題】運転者が運転を良好に行うことができるハンズフリー通話システムを提供する。【解決手段】携帯電話２０は、車載ハンズフリー装置１０に無線接続されているとき、常開型スイッチの全ての操作を受付を禁止する。これにより、通話に関連する常開型スイッチの操作を受付を禁止できるため、運転者が運転に集中できる。また、車載ハンズフリー装置１０及び携帯電話２０の一方の操作部を選ぶ必要がなくなり、その一方の操作部を選ぶのに迷いを呼ぶことを抑制できる。【選択図】図１
2006129504.tif 000002
【特許請求の範囲】
【請求項１】
通話に関連する操作を受け付ける操作部（６０）を有する携帯電話（２０）と、
車載操作部（３７ａ〜３７ｄ）を有するとともに、前記携帯電話に無線接続されて、ハンズフリー通話を行うための車載ハンズフリー装置（１０）とを有し、
前記携帯電話は、前記車載ハンズフリー装置に無線接続されているとき、前記通話に関連する操作部の操作の受付を禁止する禁止手段（Ｓ１４０）を有することを特徴とする車載ハンズフリー通話システム。
【請求項２】
前記通話に関連する操作部の操作は、終話操作であることを特徴とする請求項１に記載の車載ハンズフリー通話システム。
【請求項３】
前記通話に関連する操作部の操作は、発呼操作であることを特徴とする請求項１に記載の車載ハンズフリー通話システム。
【請求項４】
前記通話に関連する操作部の操作は、電話を受ける操作であることを特徴とする請求項１に記載の車載ハンズフリー通話システム。
【発明の詳細な説明】
【技術分野】
【０００１】
本発明は、携帯電話によってハンズフリー通話を行うための車載ハンズフリー通話システムに関する。
【背景技術】
【０００２】
従来、車載ハンズフリー通話システムでは、車載ハンズフリー装置とホルダーとを備え、このホルダーに携帯電話をセットすることにより、携帯電話が、ホルダーを通し電気配線を経て車載ハンズフリー装置に接続され、ハンズフリー通話を可能するものがある。
【０００３】
ここで、車載ハンズフリー装置には、ステアリング装置の支持部近傍に配置された専用操作部が設けられており、発呼、終話等の操作を行う場合、車載ハンズフリー装置と携帯電話との両方の操作部が用いられる。
【発明の開示】
【発明が解決しようとする課題】
【０００４】
ところで、近年、携帯電話と車載ハンズフリー装置とを、電気配線ではなく、例えば、ブルートゥース方式等の無線通信で接続されるようにすることが検討されている。
【０００５】
この場合、携帯電話が、電気配線によって拘束されることが無いため、携帯電話の置き場所が定まらないことが予測される。
【０００６】
例えば、携帯電話の置き場所が定まっていない場合、運転者がハンズフリー通話を行ったのち、携帯電話で終話を行うことを可能にすると、運転中に携帯電話を探すことが予測される。
【０００７】
この場合、運転者が、車両進行方向を視ずに、わきみ運転をする問題が生じる可能性がある。また、この問題は、運転者が発信をする場合にも、着呼を受ける場合と同様に、生じる。
【０００８】
また、仮に、ホルダー等を固定位置に配置して、携帯電話の置き場所を定めても、上述のように、車載ハンズフリー装置と携帯電話との両方の操作部が利用できることは、運転者の運転の観点から好ましくない。
【０００９】
これは、車載ハンズフリー装置と携帯電話との両方に操作部が有ると、運転者にとって、運転中に、両方の操作部の一方を選ぶ必要がある。従って、運転者に迷いを呼ぶことになり、この点でも、運転者が運転に集中することを妨げる一因になる。
【００１０】
本発明は、上記点に鑑み、運転者が運転を良好に行うことができる車載ハンズフリー通話システムを提供することを目的とする。
【課題を解決するための手段】
【００１１】
本発明は、上記目的を達成するために、請求項１に記載の発明では、通話に関連する操作を受け付ける操作部（６０）を有する携帯電話（２０）と、車載操作部（３７ａ〜３７ｄ）を有するとともに、携帯電話に無線接続されて、ハンズフリー通話を行うための車載ハンズフリー装置（１０）とを有し、携帯電話は、車載ハンズフリー装置に無線接続されているとき、通話に関連する操作部（６０）の操作の受付を禁止する禁止手段（Ｓ１４０）を有することを特徴とする。
【００１２】
また、請求項２に記載の発明のように、通話に関連する操作部の操作としては、終話操作を採用してもよく、請求項３に記載の発明のように、通話に関連する操作部の操作としては、発呼操作を採用してもよい。さらに、請求項４に記載の発明のように、通話に関連する操作部の操作として、電話を受ける操作を採用してもよい。
【００１３】
因みに、上記各手段の括弧内の符号は、後述する一実施形態に記載の具体的手段との対応関係を示す一例である。
【発明の効果】
【００１４】
請求項１〜４の発明によれば、このように、携帯電話は、車載ハンズフリー装置に無線接続されているとき、通話に関連する操作部の操作の受付が禁止される。このため、運転者が携帯電話の操作部に通話に関連する操作を行うことを防止できる。
【００１５】
この結果、車載ハンズフリー装置及び携帯電話の一方の操作部を選ぶ必要がなくなり、その一方の操作部を選ぶのに迷いを呼ぶことを抑制できる。従って、運転者が運転に集中でき、運転を良好に行うことができる。
【発明を実施するための最良の形態】
【００１６】
図１乃至４に本発明に係る自動車の車載ハンズフリー通話システムの一実施形態を示す。
【００１７】
図１は車載ハンズフリー通話システムの概略構成を示すブロック図である。図２は、車載ハンズフリー装置の回路構成を示すブロック図、図３は、携帯電話の回路構成を示すブロック図である。図４は、携帯電話の操作部の詳細を示すブロック図である。
【００１８】
図１に示すように、車載ハンズフリー通話システムは、車載ハンズフリー装置１０、及び、携帯電話２０を有する。
【００１９】
車載ハンズフリー装置１０は、アンテナ３０、無線回路３００、スピーカ３４、マイク３５、操作部３７を有して構成されている。この車載ハンズフリー装置１０の詳細な構成を図２示す。無線回路３００は、高周波変復調回路３１、ベースバンド回路３２、制御回路３３、音声回路３６レベル変換回路４１、ＲＯＭ４２、及びＲＡＭ４３を有して構成されている。
【００２０】
高周波変復調回路３１は、アンテナ３０を介して受信した下り車室内信号を復調して下り車室内復調信号を出力するとともに、上り車室内ベースバンド信号を変調してアンテナ３０から車室内変調信号を出力する。この高周波変復調回路３１では、無線方式として、例えば、ブルートゥース方式が採用されている。
【００２１】
ベースバンド回路３２は、車室内デジタル信号を送出ベースバンド処理して上り車室内ベースバンド信号を出力する。この送出ベースバンド処理では、車室内デジタル信号に、誤り訂正符号の追加処理、インターリーブ処理等が施される。また、ベースバンド回路３２は、車室内復調信号を受信ベースバンド処理して車室内受信ベースバンド信号を出力する。この受信ベースバンド処理では、車室内復調信号に、誤り訂正処理、デインターリーブ処理等が施される。
【００２２】
制御回路３３は、マイクロコンピュータを含んで構成され、ベースバンド回路３２を介した送受信により、携帯電話２０と通信を行ってハンズフリー電話として機能させるための処理などを行う。なお、制御回路３３のコンピュータプログラムは、ＲＯＭ４２に記憶されており、上記した処理に伴う各種データは、ＲＡＭ４３に記憶される。
【００２３】
音声回路３６は、Ｄ／Ａ変換回路、Ａ／Ｄ変換回路を含み、マイク３５からの送話信号をアナログ−デジタル変換して車室内デジタル信号を出力するとともに、車室内受信ベースバンド信号をデジタル−アナログ変換して受話信号をスピーカ３４に出力する。
【００２４】
操作部３７は、発呼、終話等の各種機能が割り付けられた常開型スイッチ３７ａ〜３７ｄから構成されている。常開型スイッチ３７ａ〜３７ｄの各スイッチ信号は、レベル変換回路４１によって波形整形され制御回路３３に入力される。
次に、携帯電話２０について説明する。携帯電話２０は、図１に示すように、アンテナ５０、５３，無線回路５００、スピーカ５８、マイク５９、操作部６０、表示器６３を有して構成されている。この携帯電話２０の詳細な構成を図３に示す。この図３に示すように、無線回路５００は、高周波変復調回路５１、ベースバンド回路５２、高周波変復調回路５４、ベースバンド回路５５、制御回路５６、音声回路５７、ＲＯＭ６１、及びＲＡＭ６２を有して構成されている。
【００２５】
アンテナ５０は、基地局から下り通信信号を電波を媒体として受信するとともに、上り通信信号を基地局に電波を媒体として送出する。このアンテナ５０は、以下に説明する高周波変復調回路５１、ベースバンド回路５２とともに、携帯電話２０の通信事業者の基地局と無線通信を行う無線機を構成している。
【００２６】
高周波変復調回路５１は、下り通信信号を復調して下り復調信号を出力するとともに、送出ベースバンド信号を変調して上り通信信号を出力する。この高周波変復調回路５１において、無線方式としては、例えば、Ｗ−ＣＤＭＡ方式等が採用されている。
【００２７】
ベースバンド回路５２は、音声回路５７から制御回路５６を介した出力及びベースバンド回路５５から制御回路５６を介した出力のうちの一方又は両方の出力を送話ベースバンド処理して、送出ベースバンド信号を出力する。また、このベースバンド回路５２は、高周波変復調回路５１の下り復調信号を受信ベースバンド処理して受信ベースバンド信号を出力する。
【００２８】
ここで、携帯電話２０のスピーカ５８とマイク５９を用いて通話を行う場合には、送信時に音声回路５７の出力が送話ベースバンド処理され、受信時に受信ベースバンド処理信号が音声回路５７に送られる。また、ハンズフリー通話を行う場合には、送信時にベースバンド回路５５の出力が送話ベースバンド処理され、受信時に受信ベースバンド信号がベースバンド回路５５に送られる。
【００２９】
高周波変復調回路５４は、アンテナ５３で受信された上り車室内信号を復調して上り車室内復調信号を出力するとともに、ベースバンド回路５５からの車室内ベースバンド信号を変調して下り車室内信号をアンテナ５３から送出させる。
【００３０】
ベースバンド回路５５は、ベースバンド回路５２からの受信ベースバンド信号を送出ベースバンド処理して車室内ベースバンド信号を出力するとともに、高周波変復調回路５４からの上り車室内復調信号を受信ベースバンド処理して受信ベースバンド処理信号を出力する。
【００３１】
なお、アンテナ５３は、高周波変復調回路５４及びベースバンド回路５５とともに、車載ハンズフリー装置１０との間で無線通信を行う小電力無線機を構成している。
【００３２】
制御回路５６は、マイクロコンピュータを含んで構成され、ベースバンド回路５２あるいは５５を介した送受信により、基地局あるいは車載ハンズフリー装置１０と通信を行って通常の電話あるいはハンズフリー電話として機能させるための処理などを行う。なお、制御回路５６のコンピュータプログラムは、ＲＯＭ６１に記憶されており、上記した処理に伴う各種データは、ＲＡＭ６２に記憶される。
【００３３】
音声回路５７は、ベースバンド回路５２、５５のうち一方の受信ベースバンド信号をデジタル−アナログ変換して受話信号をスピーカ５８に出力する。ここで、スピーカ５８及びマイク５９で通話が行われるとき、ベースバンド回路５２の受信ベースバンド信号が音声回路５７に送られる。また、ハンズフリー通話が行われるとき、ベースバンド回路５５の受信ベースバンド信号が音声回路５７に送られる。
【００３４】
操作部６０は、図４に示すように、レベル変換回路６０Ａと常開型スイッチ６００〜６２０を有する。レベル変換回路６０Ａは、常開型スイッチ６００〜６２０からの各スイッチ信号を波形整形して制御回路５６に出力する。また、常開型スイッチ６００〜６２０はそれぞれ押下されてスイッチ信号を出力する。ここで、常開型スイッチ６００〜６２０には、個々に、「オフフック」、「オンフック」、「リダイヤル」、数字「１」〜「９」、記号「＞」、「＜」、「メール」、「Ｆ」、「クリア」、及び、「メモ」等といった通話、メール等の機能が割り付けられている。
【００３５】
以下、本実施形態の作動を図５乃至図１８を用いて説明する。携帯電話２０の無線接続処理は、着呼モード、通話モード、車載発呼モード、携帯発呼モードに分けられ、以下、モード毎に説明する。
【００３６】
（着呼モード）
携帯電話２０の制御回路５６は、図５、図６に示すフローチャートに従って、コンピュータプログラムを実行する。コンピュータプログラムは、待ち受け時において、基地局からの着呼信号（着信信号）を受信したとき、図５に示す処理を開始する。
【００３７】
先ず、ステップ（以下、Ｓと記す）１００において、無線接続の可否の問い合わせ信号を、車載ハンズフリー装置１０に送出する。この問い合わせ信号には、着呼情報、着呼音情報（着呼メロディ）が含まれている。
【００３８】
次に、無線接続の可否の回答信号を受信したか否かを判定する（Ｓ１１０）。回答信号を受信したときには、回答信号に基づいて、車載ハンズフリー装置１０が無線接続を許可したか否かを判定する（Ｓ１２０）。
【００３９】
車載ハンズフリー装置１０が無線接続を許可したことを判定すると、図７に示すように、「ハンズフリー通話中    ボタンは機能しませしません」とメッセージを表示器６３に表示させる（Ｓ１３０）。さらに、常開型スイッチ６００〜６２０の全ての操作の受付を禁止する（Ｓ１４０）。
【００４０】
次に、車載ハンズフリー装置１０から後述するオフフック信号を受信し、基地局にオフフック信号を送出する（Ｓ１５０）。オフフック信号が基地局に送られると、電話回線接続が行われる。
【００４１】
そして、基地局からの下り通信信号を受信すると、この下り通信信号を下り車室内信号として車載ハンズフリー装置１０に送出するとともに、車載ハンズフリー装置１０から上り車室内信号を受信すると、この上り車室内信号を上り通信信号として基地局に送出する（Ｓ１６０）。
【００４２】
次に、車載ハンズフリー装置１０から車室内終話信号を受信したか否かを判定する（Ｓ２００）。この車室内終話信号は、終話操作が行われたときに車載ハンズフリー装置１０から送信される。そして、車室内終話信号を受信したときには、終話信号を基地局に送出する（Ｓ２１０）。
【００４３】
また、Ｓ１２０において、車載ハンズフリー装置１０によって無線接続が許可されなかったことを判定したときには、通常機能の表示（例えば、受信電界強度、時計の等の表示）を表示器６３に表示させる（Ｓ２２０）。さらに、常開型スイッチ６００〜６２０への通話、メール等に関する操作の受け付けを開始する（Ｓ２３０）。
【００４４】
次に、車載ハンズフリー装置１０の無線接続処理の詳細を図８を用いて説明する。制御回路３３は、図８に示すフローチャートに従って、コンピュータプログラムを実行する。
【００４５】
先ず、Ｓ３００において、携帯電話２０から無線接続の問い合わせ信号を、受信すると、問い合わせ信号の回答信号を携帯電話２０に送出する（Ｓ３１０）。この回答信号には、無線接続の許可、或いは、不許可を示す情報が含まれている。例えば、車速センサ（図示しない）からの検出車速に基づき、自動車が移動しているときには無線接続を許可し、自動車が停止しているときには無線接続を不許可にする。このことにより、自動車が移動しているときに、携帯電話２０のスピーカ５８及びマイク５９を用いた通話を未然に防止することができる。
【００４６】
Ｓ３１０の処理で、無線接続を許可する回答信号を送出した場合には、Ｓ３２０からＳ３３０に進み、スピーカ３４から着信音を鳴動させるための信号を音声回路３６に出力する。なお、無線接続を許可する回答信号が携帯電話２０に送出されることによって、携帯電話２０と車載ハンズフリー装置１０の無線接続が開始される。
【００４７】
その後、通話の開始あるいは終了を指示するためのスイッチ３７ａ（スイッチ「１」）が押下されたか否かを判定する（Ｓ３４０）。ユーザが通話を開始するためにスイッチ３７ａを押下すると、その判定がＹＥＳになり、オフフック信号を携帯電話２０に送出する（Ｓ３５０）。そして、ハンズフリー通話を行うために、携帯電話２０から下り車室内信号を受信したときには、スピーカ３４から受話音声を出力させるようにし、またマイク３５から送話信号を音声回路３６を介して入力したときには上り車室内信号を携帯電話２０に送出する（Ｓ３６０）。
【００４８】
この後、スイッチ３７ａが押下されない間は、Ｓ３６０、Ｓ３８０の処理を繰り返し、ハンズフリー通話が継続する。そして、ユーザが通話を終了するためにスイッチ３７ａを押下すると、車室内終話信号を携帯電話２０に送出する（Ｓ３９０）。
【００４９】
（通話モード）
この通話モードは、携帯電話２０のスピーカ５８及びマイク５９を用いた通話を行っている最中に、スピーカ５８及びマイク５９を用いた通話から車載ハンズフリー装置１０を用いたハンズフリー通話に切り換えるものである。
【００５０】
この通話モードにおける携帯電話２０の制御回路５６の無線接続処理を、図９、図１０に示す。なお、図９、図１０において、図６、図７と同一符号は、同一処理を示す。この無線接続処理は、通話処理（スピーカ５８及びマイク５９を用いた通話）と時分割で実行される。
【００５１】
先ず、Ｓ１００において、問い合わせ信号を車載ハンズフリー装置１０に送出する。携帯電話２０が車載ハンズフリー装置１０から無線接続の許可を示す回答信号を受信すると、着呼モードの場合の処理と同様、メッセージを表示器６３に表示させ（Ｓ１３０）、常開型スイッチ６００〜６２０の全ての操作の受付を禁止し（Ｓ１４０）、ハンズフリー通話を行うための処理（Ｓ１６０）、および車室内終話信号の受信判定（Ｓ２１０）を行う。
【００５２】
また、車載ハンズフリー装置１０は、図１１に示す無線接続処理を行う。この図１１中において、図８と同一符号は、同一処理を示す。
【００５３】
Ｓ３００において、携帯電話２０から無線接続の問い合わせ信号を受信すると、問い合わせ信号の回答信号を携帯電話２０に送出する（Ｓ３１０）。無線接続を許可する回答信号を送出すると、着呼モードの場合の処理と同様、ハンズフリー通話を行うための処理（Ｓ３６０）、終話判定（Ｓ３８０）、車室内終話信号の送出（Ｓ３９０）を行う。
【００５４】
（車載発呼モード）
この車載発呼モードは、車載ハンズフリー装置１０によって発呼操作が行われたときに無線接続が行われるものである。
【００５５】
この車載発呼モードにおける車載ハンズフリー装置１０の無線接続処理を、図１２に示す。図１２において、図８と同一符号は、同一処理を示す。この無線接続処理は、電源ＯＮ状態で、実行される。
【００５６】
先ず、Ｓ３００において、携帯電話２０から無線接続の問い合わせ信号を受信すると、問い合わせ信号の回答信号を携帯電話２０に送出する（Ｓ３１０）。無線接続を許可する回答信号を送出すると、スイッチ３７ａ〜３７ｄによって発呼操作が行われた否かを判定する（Ｓ４００）。
【００５７】
そして、スイッチ３７ａ〜３７ｄによって発呼操作が行われたことを判定したとき、車室内発呼信号（短縮番号を含む）を携帯電話２０に送出する（Ｓ４２０）。この後、着呼モードの場合の処理と同様、ハンズフリー通話を行うための処理（Ｓ３６０）、終話判定（Ｓ３８０）、車室内終話信号の送出（Ｓ３９０）を行う。
【００５８】
また、携帯電話２０の制御回路５６は、図１３、図１４に示す無線接続処理を行う。図１３、図１４において、図５、図６と同一符号は、同一処理を示す。
【００５９】
先ず、着呼モードの場合の処理と同様、問い合わせ信号の送出（Ｓ１００）、無線接続の許可を示す回答信号の受信（Ｓ１２０）を行うと、車載ハンズフリー装置１０から車室内発呼信号を受信したか否かを判定する。車室内発呼信号を受信したことを判定すると、発呼信号を基地局に送出するため（Ｓ２５０）、発呼信号が基地局に送られて、電話回線接続が開始される。
【００６０】
その後、着呼モードの場合の処理と同様、メッセージを表示器６３に表示させ（Ｓ１３０）、常開型スイッチ６００〜６２０の全ての操作の受付を禁止し（Ｓ１４０）、ハンズフリー通話を行うための処理（Ｓ１６０）、および車室内終話信号の受信判定（Ｓ２００、Ｓ２１０）を行う。
【００６１】
次に、本実施形態の特徴について説明する。携帯電話２０は、車載ハンズフリー装置１０に無線接続されているとき、常開型スイッチ６００〜６２０の全ての操作を受付を禁止する。これにより、通話に関連する常開型スイッチ６００〜６２０の操作を受付を禁止できる。
【００６２】
このため、運転者が携帯電話の操作部に通話に関連する操作を行うことを防止できる。この結果、車載ハンズフリー装置１０及び携帯電話２０の一方の操作部を選ぶ必要がなくなり、その一方の操作部を選ぶのに迷いを呼ぶことを抑制できる。従って、運転者が運転に集中でき、運転を良好に行うことができる。
【００６３】
さらに、上記実施形態では、携帯電話２０は、車載ハンズフリー装置１０に無線接続されてハンズフリー通話が行われている最中には、通話に関連する操作を禁止する例について説明したが、これに限らず、車速が、所定速度未満ならば、図１５、図１６に示すように、無線接続されてハンズフリー通話が行われているときに、終話に関する操作の受付だけを許可するようにしてもよい。
【００６４】
この場合、以下のように、携帯電話２０は、車載ハンズフリー装置１０に無線接続されているとき、発呼操作、ハンズフリー通話への切換操作の受付を許可する。
【００６５】
先ず、無線接続の可否の問い合わせ信号を車載ハンズフリー装置１０に送出する（Ｓ１００）。ここで、車載ハンズフリー装置１０は、車速センサ（図示せず）の出力に基づいて、車速が、所定速度未満であるとき、無線接続を許可する。
【００６６】
その後、無線接続の許可を示す回答信号を車載ハンズフリー装置１０から受信すると（Ｓ１１０、Ｓ１２０）、常開型スイッチ６００〜６２０によって発呼操作が行われたか否かを判定する（Ｓ２６０）。そして、発呼操作が行われたことを判定すると、発呼信号を基地局に送出する。その後、発呼信号が基地局に送られて、電話回線接続が開始される。
【００６７】
その後、基地局からの下り通信信号を受信すると、下り通信信号に基づきスピーカ５８から受話音声を出力させる。さらに、音声回路５７の出力信号に基づいて上り通信信号を基地局に送信する（Ｓ１６０Ａ）。これにより、携帯電話２０においてスピーカ５８及びマイク５９を用いて通話が行われる。その後、常開型スイッチ６００〜６２０によってハンズフリー通話へ切換る操作が行われたか否かを判定する（Ｓ２７０）。
【００６８】
ここで、操作部６０によってハンズフリー通話への切換る操作が行われたことを判定すると、着呼モードの場合の処理と同様、メッセージを表示器６３に表示させ（Ｓ１３０）、常開型スイッチ６００〜６２０の全ての操作の受付を禁止し（Ｓ１４０）、ハンズフリー通話を行うための処理（Ｓ１６０）、および車室内終話信号の受信判定（Ｓ２００、Ｓ２１０）を行う。
【００６９】
また、Ｓ２７０において、ハンズフリー通話へ切換る操作が行われないことを判定すると、終話キーが押下されたか否かを判定する（Ｓ２８０）。そして、終話キーが押下されるまで、Ｓ１６０Ａに戻り、携帯電話２０においてスピーカ５８及びマイク５９を用いて通話を継続する。
【図面の簡単な説明】
【００７０】
【図１】本発明に係る一実施形態のハンズフリー通話システムの電気回路構成を示すブロック図である。
【図２】図１に示す車載ハンズフリー装置の電気回路構成を構成を示すブロック図である。
【図３】図１に示す携帯電話の電気回路構成を構成を示すブロック図である。
【図４】図３に示す操作部の詳細を示す図である。
【図５】図１に示す携帯電話の作動の一部を示すフローチャートである。
【図６】図１に示す携帯電話の作動の一部を示すフローチャートである。
【図７】図１に示す携帯電話の表示例を示す図である。
【図８】図１に示す車載ハンズフリー装置の作動の一部を示すフローチャートである。
【図９】図１に示す携帯電話の作動の一部を示すフローチャートである。
【図１０】図１に示す携帯電話の作動の一部を示すフローチャートである。
【図１１】図１に示す車載ハンズフリー装置の作動の一部を示すフローチャートである。
【図１２】図１に示す車載ハンズフリー装置の作動の一部を示すフローチャートである。
【図１３】図１に示す携帯電話の作動の一部を示すフローチャートである。
【図１４】図１に示す携帯電話の作動の一部を示すフローチャートである。
【図１５】図１に示す携帯電話の作動の一部を示すフローチャートである。
【図１６】図１に示す携帯電話の作動の一部を示すフローチャートである。
【符号の説明】
【００７１】
１０…車載ハンズフリー装置、２０…携帯電話、６００乃至６２０…携帯電話のスイッチ
【図１】
2006129504.tif 000003
【図２】
2006129504.tif 000004
【図３】
2006129504.tif 000005
【図４】
2006129504.tif 000006
【図５】
2006129504.tif 000007
【図６】
2006129504.tif 000008
【図７】
2006129504.tif 000009
【図８】
2006129504.tif 000010
【図９】
2006129504.tif 000011
【図１０】
2006129504.tif 000012
【図１１】
2006129504.tif 000013
【図１２】
2006129504.tif 000014
【図１３】
2006129504.tif 000015
【図１４】
2006129504.tif 000016
【図１５】
2006129504.tif 000017
【図１６】
2006129504.tif 000018